(57)【要約】  通気性のない又はファン１２０による空気の導入によって膨らませることができる程度の通気性を有する服地Ｆによって、少なくとも着用者Ｗの胴部を覆う形状に形成された服本体１１０であって、服本体１１０の前身頃に位置する第１接続部１１８ａと、服本体１１０の後身頃に位置する第２接続部１１８ｂと、を繋ぐ肩掛け部材１１８を備え、肩掛け部材１１８は、着用者Ｗの肩に掛けられた状態で、肩掛け部材１１８と、肩掛け部材１１８の近傍に位置する服地Ｆとの間に、ファン１２０によって導入された空気が流通する流通路を形成する。これによって、着心地の悪化を抑制しつつ、肩近傍の領域に空気流通路を確保することができる空調衣服の服本体及び空調衣服を提供することができる。
2020100757.tif 000002
【特許請求の範囲】
【請求項１】
通気性のない又は空気導入手段による空気の導入によって膨らませることができる程度の通気性を有する服地によって、少なくとも着用者の胴部を覆う形状に形成された空調衣服の服本体であって、
前記服本体の前身頃に位置する第１接続部と、前記服本体の後身頃に位置する第２接続部と、を繋ぐ肩掛け部材を備え、
前記肩掛け部材は、着用者の肩に掛けられた状態で、前記肩掛け部材と、前記肩掛け部材の近傍に位置する前記服地との間に、前記空気導入手段によって導入された空気が流通する流通路を形成することを特徴とする空調衣服の服本体。
【請求項２】
通気性のない又は空気導入手段による空気の導入によって膨らませることができる程度の通気性を有する服地によって、少なくとも着用者の胴部を覆う形状に形成された空調衣服の服本体であって、
前記服本体の前身頃に位置する第１接続部と、前記服本体の後身頃に位置する第２接続部と、を繋ぐ肩掛け部材を備え、
前記肩掛け部材の長さは、前記着用者が当該空調衣服の服本体を着用した状態において前記肩掛け部材と対向する前記服地の長さよりも短いことを特徴とする空調衣服の服本体。
【請求項３】
前記肩掛け部材は、
帯状又は紐状に形成され、着用者の肩に掛けることができる肩掛けベルトを備えることを特徴とする請求項１又は２に記載の空調衣服の服本体。
【請求項４】
前記肩掛けベルトは、少なくとも一端部の近傍に第１取付部を有し、
前記第１取付部は、前記第１接続部及び／又は前記第２接続部に備えらえた第２取付部と着脱可能であることを特徴とする請求項３に記載の空調衣服の服本体。
【請求項５】
前記第１取付部及び／又は前記第２取付部は、複数備えられていることを特徴とする請求項４に記載の空調衣服の服本体。
【請求項６】
前記肩掛けベルトは、その長さを変更する長さ調整手段を備えることを特徴とする請求項３から５のいずれか一項に記載の空調衣服の服本体。
【請求項７】
前記肩掛け部材は、前記第２接続部に取り付けられたリング状部材を備え、
前記肩掛けベルトは、前記リング状部材を挿通すると共に、一端部近傍において前身頃の右側に位置する前記第１接続部に接続され、他端部近傍において前身頃の左側に位置する前記第１接続部に接続されることを特徴とする請求項３から６のいずれか一項に記載の空調衣服の服本体。
【請求項８】
前記リング状部材は、上下方向に取り付け位置を変更可能であることを特徴とする請求項７に記載の空調衣服の服本体。
【請求項９】
前記第１接続部は、前記服地の外面側に位置し、
前記服本体の前身頃に、前記肩掛けベルトを前記服地の内面側から外面側へと挿通させることができる開口部を備えることを特徴とする請求項３に記載の空調衣服の服本体。
【請求項１０】
前記肩掛けベルトは、
前記第１接続部に接続された第１肩掛けベルトと、
前記第２接続部に接続された第２肩掛けベルトと、
を含み、
前記第１肩掛けベルトと、前記第２肩掛けベルトと、を着脱自在に接続可能であることを特徴とする請求項３に記載の空調衣服の服本体。
【請求項１１】
前記第１肩掛けベルトは、第１取付部を有し、
前記第２肩掛けベルトは、前記第１取付部と着脱可能な第２取付部を有し、
前記第１取付部及び／又は前記第２取付部は、複数備えられていることを特徴とする請求項１０に記載の空調衣服の服本体。
【請求項１２】
前記服本体の内面側の、前記第１接続部及び前記第２接続部とは異なる位置に、前記肩掛けベルトを挿通可能な開孔部を有する肩掛け部材保持手段を備えること特徴とする請求項３から１１のいずれか一項に記載の空調衣服の服本体。
【請求項１３】
前記肩掛け部材は、メッシュ状部材によって、着用者の胴体上部を覆うように形成されていることを特徴とする請求項１又は２に記載の空調衣服の服本体。
【請求項１４】
前記第１接続部及び／又は前記第２接続部の近傍に、着用者の胴部と前記服地との間隔を確保するスペーサを備えることを特徴とする請求項１から１３のいずれか一項に記載の空調衣服の服本体。
【請求項１５】
前記第１接続部及び／又は前記第２接続部は、前記服地の縫製ラインと重なり、
前記肩掛け部材は、前記第１接続部及び／又は前記第２接続部において、前記服地に縫合されていることを特徴とする請求項１から１４のいずれか一項に記載の空調衣服の服本体。
【請求項１６】
請求項１から１５のいずれか一項に記載の空調衣服の服本体と、
前記空調衣服の服本体の内部に空気を導入する空気導入手段と、
前記空気導入手段に電力を供給する電源手段と、
を備えることを特徴とする空調衣服。
【発明の詳細な説明】
【技術分野】
【０００１】
本発明は、空調衣服の服本体及び空調衣服に関するものである。
【背景技術】
【０００２】
近年、身体を冷却する空調衣服が実用化され、急速に普及しつつある。従来の空調衣服は、通気性の低い服地で形成された服本体と、服本体の後側の下方に取り付けられた２つのファンと、２つのファンに電力を供給するための電源装置と、電源装置と２つのファンとを電気的に接続するための電源ケーブルと、を備える。【０００３】
ファンを作動させると、大量の空気がファンから服本体内に取り込まれる。取り込まれた空気の圧力により服本体と着用者の身体との間に空気流通路が自動的に形成され、取り込まれた空気は、形成された空気流通路を着用者の身体又は下着の表面に沿って流通し、例えば、襟部や袖部の開口部から外部に排出される。
そして、取り込まれた空気が、服本体と着用者の身体又は下着との間の空気流通路を流通する間に、身体から出た汗を蒸発させ、蒸発する際の気化熱により身体が冷却される。【０００４】
このような空調衣服につき冷却機能を高めるためには、服本体と着用者の身体又は下着との間の空間の全体に亘って空気流通路が形成されることが好ましい。しかしながら、空調衣服の着用時には、着用者の肩に対応する部分に、当該空調衣服の重さが集中して掛かることとなるため、空調衣服の服本体の肩の部分の服地と、着用者の身体又は下着とが密着してしまい、着用者の肩近傍の領域には、ファンによって取り込まれた空気の圧力のみによっては、空気流通路が形成され難い。そして、当該部分に空気流通路が形成されないと、襟部や袖部の開口部からの空気の排出量が十分ではなくなり、冷却機能の向上が難しくなってしまう。なお、肩近傍の領域とは、着用者の身体又は下着と空調衣服の服本体の服地との間の空間のうち、着用者の肩（着用者の腕が胴体に接続する部分から首の付け根にかけての部分）の上方、前方又は後方に位置する領域のことを指す。【０００５】
そこで、空調衣服の服本体の着用者の肩に対応する部分に、下方へと凸状となるスペーサを備えた空調衣服が知られている（例えば、特許文献１参照。）
【先行技術文献】
【特許文献】
【０００６】
【特許文献１】国際公開２００５／０６３０６５号
【発明の概要】
【発明が解決しようとする課題】
【０００７】
しかしながら、このようなスペーサは、空調衣服の重さを着用者の肩の一点に集中させるため、空調衣服の着心地を悪化させていた。このような問題は、スペーサの面積を増大させれば改善されるが、この場合、スペーサ自体が肩近傍の領域の空気流通路を塞ぐ面積が大きくなり、空気流通路が十分に形成されないおそれがあった。【０００８】
本発明の課題は、着心地の悪化を抑制しつつ、肩近傍の領域に空気流通路を確保することができる空調衣服の服本体及び空調衣服を提供することである。
【課題を解決するための手段】
【０００９】
上記課題を解決するため、請求項１に記載の発明は、
通気性のない又は空気導入手段による空気の導入によって膨らませることができる程度の通気性を有する服地によって、少なくとも着用者の胴部を覆う形状に形成された空調衣服の服本体であって、
前記服本体の前身頃に位置する第１接続部と、前記服本体の後身頃に位置する第２接続部と、を繋ぐ肩掛け部材を備え、
前記肩掛け部材は、着用者の肩に掛けられた状態で、前記肩掛け部材と、前記肩掛け部材の近傍に位置する前記服地との間に、前記空気導入手段によって導入された空気が流通する流通路を形成することを特徴とする。【００１０】
請求項２に記載の発明は、
通気性のない又は空気導入手段による空気の導入によって膨らませることができる程度の通気性を有する服地によって、少なくとも着用者の胴部を覆う形状に形成された空調衣服の服本体であって、
前記服本体の前身頃に位置する第１接続部と、前記服本体の後身頃に位置する第２接続部と、を繋ぐ肩掛け部材を備え、
前記肩掛け部材の長さは、前記着用者が当該空調衣服の服本体を着用した状態において前記肩掛け部材と対向する前記服地の長さよりも短いことを特徴とする。【００１１】
請求項３に記載の発明は、請求項１又は２に記載の空調衣服の服本体であって、
前記肩掛け部材は、
帯状又は紐状に形成され、着用者の肩に掛けることができる肩掛けベルトを備えることを特徴とする。【００１２】
請求項４に記載の発明は、請求項３に記載の空調衣服の服本体であって、
前記肩掛けベルトは、少なくとも一端部の近傍に第１取付部を有し、
前記第１取付部は、前記第１接続部及び／又は前記第２接続部に備えらえた第２取付部と着脱可能であることを特徴とする。【００１３】
請求項５に記載の発明は、請求項４に記載の空調衣服の服本体であって、
前記第１取付部及び／又は前記第２取付部は、複数備えられていることを特徴とする。【００１４】
請求項６に記載の発明は、請求項３から５のいずれか一項に記載の空調衣服の服本体であって、
前記肩掛けベルトは、その長さを変更する長さ調整手段を備えることを特徴とする。【００１５】
請求項７に記載の発明は、請求項３から６のいずれか一項に記載の空調衣服の服本体であって、
前記肩掛け部材は、前記第２接続部に取り付けられたリング状部材を備え、
前記肩掛けベルトは、前記リング状部材を挿通すると共に、一端部近傍において前身頃の右側に位置する前記第１接続部に接続され、他端部近傍において前身頃の左側に位置する前記第１接続部に接続されることを特徴とする。【００１６】
請求項８に記載の発明は、請求項７に記載の空調衣服の服本体であって、
前記リング状部材は、上下方向に取り付け位置を変更可能であることを特徴とする。【００１７】
請求項９に記載の発明は、請求項３に記載の空調衣服の服本体であって、
前記第１接続部は、前記服地の外面側に位置し、
前記服本体の前身頃に、前記肩掛けベルトを前記服地の内面側から外面側へと挿通させることができる開口部を備えることを特徴とする。【００１８】
請求項１０に記載の発明は、請求項３に記載の空調衣服の服本体であって、
前記肩掛けベルトは、
前記第１接続部に接続された第１肩掛けベルトと、
前記第２接続部に接続された第２肩掛けベルトと、
を含み、
前記第１肩掛けベルトと、前記第２肩掛けベルトと、を着脱自在に接続可能であることを特徴とする。【００１９】
請求項１１に記載の発明は、請求項１０に記載の空調衣服の服本体であって、
前記第１肩掛けベルトは、第１取付部を有し、
前記第２肩掛けベルトは、前記第１取付部と着脱可能な第２取付部を有し、
前記第１取付部及び／又は前記第２取付部は、複数備えられていることを特徴とする。【００２０】
請求項１２に記載の発明は、請求項３から１１のいずれか一項に記載の空調衣服の服本体であって、
前記服本体の内面側の、前記第１接続部及び前記第２接続部とは異なる位置に、前記肩掛けベルトを挿通可能な開孔部を有する肩掛け部材保持手段を備えること特徴とする。【００２１】
請求項１３に記載の発明は、請求項１又は２に記載の空調衣服の服本体であって、
前記肩掛け部材は、メッシュ状部材によって、着用者の胴体上部を覆うように形成されていることを特徴とする。【００２２】
請求項１４に記載の発明は、請求項１から１３のいずれか一項に記載の空調衣服の服本体であって、
前記第１接続部及び／又は前記第２接続部の近傍に、着用者の胴部と前記服地との間隔を確保するスペーサを備えることを特徴とする。【００２３】
請求項１５に記載の発明は、請求項１から１４のいずれか一項に記載の空調衣服の服本体であって、
前記第１接続部及び／又は前記第２接続部は、前記服地の縫製ラインと重なり、
前記肩掛け部材は、前記第１接続部及び／又は前記第２接続部において、前記服地に縫合されていることを特徴とする。【００２４】
請求項１６に記載の発明は、空調衣服であって、
請求項１から１５のいずれか一項に記載の空調衣服の服本体と、
前記空調衣服の服本体の内部に空気を導入する空気導入手段と、
前記空気導入手段に電力を供給する電源手段と、
を備えることを特徴とする
【発明の効果】
【００２５】
本発明によれば、着心地の悪化を抑制しつつ、肩近傍の領域に空気流通路を確保することができる空調衣服の服本体及び空調衣服を提供することができる。
【図面の簡単な説明】
【００２６】
【図１】第１実施形態に係る空調衣服を着用者が着用した状態を示す上半身の正面図である。なお、ファンを作動させ、服本体の服地が膨らんだ状態を図示している。また、電源部、接続ケーブル等の図示を省略している。
【図２】第１実施形態に係る空調衣服を着用者が着用した状態を示す上半身の背面図である。なお、ファンを作動させ、服本体の服地が膨らんだ状態を図示している。また、電源部、接続ケーブル等の図示を省略している。
【図３】前身頃の開閉手段を開いた状態における第１実施形態に係る空調衣服の正面図である。
【図４】図１及び図２のIV-IV部における断面図である。
【図５】前身頃の開閉手段を開いた状態における第２実施形態に係る空調衣服の正面図である。
【図６】第３実施形態に係る空調衣服を着用者が着用した状態を示す上半身の正面図である。なお、ファンを作動させ、服本体の服地が膨らんだ状態を図示している。また、電源部、接続ケーブル等の図示を省略している。
【図７】前身頃の開閉手段を開いた状態における第３実施形態に係る空調衣服の正面図である。
【図８】第４実施形態に係る空調衣服を着用者が着用した状態を示す上半身の正面図である。なお、ファンを作動させ、服本体の服地が膨らんだ状態を図示している。また、電源部、接続ケーブル等の図示を省略している。
【図９】前身頃の開閉手段を開いた状態における第４実施形態に係る空調衣服の正面図である。
【図１０】前身頃の開閉手段を開いた状態における第５実施形態に係る空調衣服の服本体の正面図である。
【発明を実施するための形態】
【００２７】
以下、本発明の実施の形態である空調衣服について、図１から図１０に基づいて説明する。ただし、本発明の技術的範囲は図示例に限定されるものではない。
なお、以下においては、着用者が空調衣服を着用した状態を基準として、着用者の前側を前、着用者の後側を後、着用者の上側を上、着用者の下側を下、着用者の右手側を右、着用者の左手側を左と定めて説明する。
【００２８】
［第１実施形態］
本発明の第１実施形態について、図１から図４に基づいて説明する。
【００２９】
［実施形態の構成］
第１実施形態に係る空調衣服１００は、図１から図３に示すように、服本体１１０と、服本体１１０内部に空気を導入するファン１２０と、ファン１２０に電力を供給する電源部１３０と、電源部１３０とファン１２０とを接続する接続ケーブル１４０と、を備え、ファン１２０によって服本体１１０内に取り込まれた空気を、着用者Ｗの身体又は下着の表面に沿って流通させることで、身体から出た汗を蒸発させ、蒸発する際の気化熱により身体を冷却するものである。
【００３０】
｛服本体｝
服本体１１０は、図１から図３に示すように、通気性のない又はファン１２０による空気の導入によって膨らませることができる程度の通気性を有する服地Ｆによって、着用者Ｗの胴部及び腕部を覆う形状に形成されている。図１から図３においては、服本体１１０をブルゾン型の上衣の形状に形成しているが、服本体１１０の形状はこれに限られず、例えば着用者Ｗの胴部のみを覆うベスト型に形成してもよい。
なお、服地Ｆの服本体１１０の着用時において着用者Ｗに向く面を服地Ｆの内面側、その反対側の服本体１１０の着用時において外部空間に向く面を服地Ｆの外面側とする。また、服地Ｆの内面側及び服本体１１０の着用時において服地Ｆの内面側よりも着用者側に位置する部分を服本体１１０の内面側、服地Ｆの外面側及び服本体１１０の着用時において服地Ｆの外面側よりも外部空間側に位置する部分を服本体１１０の外面側とする。
また、服地Ｆの着用者Ｗの胴の前方を覆う部分を前身頃、服地Ｆの着用者Ｗの胴の後方を覆う部分を後身頃とする。
【００３１】
服本体１１０は、図１から図３に示すように、開閉手段１１１と、空気漏れ防止手段１１２と、ファン取付孔１１３と、取付孔補強部材１１４と、空気排出部１１５と、電源部保持手段１１６と、ケーブル保持手段１１７と、肩掛け部材１１８と、肩掛け部材保持手段１１９と、を備え、ファン取付孔１１３からファン１２０によって取り込まれた外気が、空気排出部１１５から排出されるように構成されている。
【００３２】
（開閉手段）
開閉手段１１１は、服本体１１０を前開きとし、空調衣服１００を着用する際に、服本体１１０の前部を開閉するためのものであり、図１及び図３に示すように、服本体１１０の前身頃の分割部分の両側に備えられ、当該分割部分が着脱自在となるように構成されている。開閉手段１１１としては、例えば、一般的な線ファスナーが用いられる。
【００３３】
（空気漏れ防止手段）
空気漏れ防止手段１１２は、図１から図４に示すように、服本体１１０下部に備えられた、服本体１１０と着用者Ｗの身体との間の空間内の空気が服本体１１０の裾部から外部に漏れることを防止するための手段であり、例えば、服本体１１０の下部の端部付近に、ゴム紐等の伸縮性のある部材を、着用者Ｗの身体を周回するように備えることによって形成される。空調衣服１００の着用時においては、空気漏れ防止手段１１２によって、服本体１１０の裾部が絞り込まれて着用者Ｗの身体に密着し、服本体１１０下部から空気が外部に漏れることを防止することができる。
なお、服本体１１０が、裾部が絞り込まれた形状に形成された場合や、服本体１１０の裾部をズボンに入れて使用する場合等、裾部からの空気の流出量が僅かである場合、必ずしも空気漏れ防止手段１１２を備えずともよい。
【００３４】
（ファン取付孔）
ファン取付孔１１３は、図２及び図３に示すように、服本体１１０を形成する服地Ｆの着用者Ｗの腰の左右に対応する位置に形成された、空調衣服１００の着用時において、服本体１１０と着用者Ｗの身体との間の空間と、服本体１１０の外部の空間と、を繋ぐこととなる円形の孔部である。
ファン取付孔１１３を挿通するようにしてファン１２０を取り付けることで、ファン取付孔１１３を介して、外部の空気を服本体１１０内に取り込むことができる。
なお、ファン取付孔１１３が形成される位置としては、上記の位置に限られず、服本体１１０の側面、前面等に形成することも可能である。また、ファン取付孔１１３が形成される個数は、２個に限られず、これより少数又は多数のファン取付孔１１３を形成し、これに対応した数のファン１２０を取り付けてもよい。
【００３５】
（取付孔補強部材）
取付孔補強部材１１４は、図３及び図４に示すように、例えばプラスチック等によって形成された扁平な環状の部材であり、中心にファン取付孔１１３と大きさが略一致する孔部を有する。取付孔補強部材１１４は、当該孔部が、ファン取付孔１１３に重なるように、服本体１１０の内面側に取り付けられる。これによって、服本体１１０のファン取付孔１１３周辺が補強され、ファン１２０をファン取付孔１１３に取り付け易くなり、また、取り付けられたファン１２０が外れ難くなる。
取付孔補強部材１１４は、服本体１１０を形成する服地Ｆに対し、縫合、接着等任意の方法によって取り付けることができる。また、取付孔補強部材１１４を服本体１１０の内面側から覆う裏地が備えられていてもよい。
なお、ファン１２０の取付けの容易性及びファン１２０の外れ難さは低下するものの、取付孔補強部材１１４を備えない構成とすることも可能である。
【００３６】
（空気排出部）
空気排出部は、ファン１２０によってファン取付孔１１３から導入された空気を、着用者Ｗの身体又は下着に沿って流通させた後に排出するための開口部であり、図１から図３に示すように、着用者Ｗの首と服本体１１０の襟部の端部との間の開口部と、着用者Ｗの腕と服本体１１０の袖部の端部との間の開口部と、に形成される。
なお、空気排出部は、ファン１２０によってファン取付孔１１３から導入された空気を、着用者Ｗの身体又は下着に沿って流通させた後に排出できるものであればよく、その形成位置は、襟部及び袖部に限定されない。
【００３７】
（電源部保持手段）
電源部保持手段１１６は、図３に示すように、例えば、服本体１１０の内面側に形成されたポケットであり、電源部１３０が収納される。図３においては、電源部保持手段１１６が、服本体１１０の前身頃の左側の下方の位置に備えられた場合について図示したが、これに限られず、服本体１１０の任意の位置に備えることが可能である。例えば、電源部保持手段を服本体１１０の外面側に形成した上で、服地Ｆに形成された開口部を介して、接続ケーブル１４０によって、ファン１２０と電源部１３０との間が接続されるようにしてもよい。
なお、電源部保持手段１１６としては、必ずしもポケットを用いる必要はなく、電源部１３０を服本体１１０に装着することが可能であれば、任意の構成を採用することができる。さらに、服本体１１０に電源部保持手段１１６を備えず、例えば着用者Ｗのズボンのベルト等に電源部１３０をクリップ等を用いて取り付けることにより、電源部１３０が服本体１１０に装着されないようにすることも可能である。
【００３８】
（ケーブル保持手段）
ケーブル保持手段１１７は、図３に示すように、接続ケーブル１４０を、服本体１１０の内面側に保持するための手段であり、例えば、接続ケーブル１４０を挿通可能な開口部を有するリング状に形成され、当該開口部に接続ケーブル１４０を挿通させることによって、これを保持することができるように構成されている。
【００３９】
ケーブル保持手段１１７としては、接続ケーブル１４０を服本体１１０内面側において所定の位置に保持することができれば、種々の形状及び材料のものを使用可能であり、例えば、一般的なベルト通しのように、上下方向に長い布を上下２カ所において縫い付けることにより形成することができる。また、配置位置も、図３に示すものに限られない。
【００４０】
（縫製ライン）
縫製ラインＳは、服本体の形成時における、服地Ｆの縫合部分である。縫製ラインＳの形成位置は、服本体の一般的な縫製方法に合わせて任意に設定することができ、図１から図４示した位置は一例に過ぎない。
【００４１】
（肩掛け部材）
肩掛け部材１１８は、図１から図４に示すように、服本体１１０の着用者Ｗの肩に対応する左右２か所に備えられた、空調衣服１００の着用時に、着用者Ｗの肩に掛かり、空調衣服１００を肩から吊るように形成された部材である。
【００４２】
肩掛け部材１１８は、図１から図４に示すように、所定の幅を有する帯状の部材につき、一端部を、服本体１１０の前身頃の、空調衣服１００の着用時において着用者Ｗの肩の前方に位置する部分（第１接続部１１８ａ）に接続し、他端部を、服本体１１０の後身頃の、空調衣服１００の着用時において着用者Ｗの肩の後方に位置する部分（第２接続部１１８ｂ）に接続することで形成されている。肩掛け部材１１８を形成する帯状の部材の大きさは、空調衣服１００の着用時に、着用者Ｗの肩に掛かり、空調衣服１００を肩から吊ることができるものであれば任意であるが、長さが１００ｍｍから４００ｍｍ、幅が５ｍｍから２０ｍｍ程であることが好ましい。
【００４３】
肩掛け部材１１８の材料は、空調衣服１００の着用時にその重さが掛かっても破断しない強度を有しつつ、着用者Ｗの肩の形状に追従する柔軟性を有するものであれば任意であるが、例えば、服本体１１０の服地Ｆと同様のシート状部材を用いればよい。
また、メッシュ状の部材を用いると、肩掛け部材１１８の通気性が向上し、肩掛け部材１１８が空気の流通の妨げとなることもより防止することができる。
【００４４】
また、肩掛け部材１１８は、左右の肩掛け部材１１８が着用者の後方側において一体化するように形成してもよい。すなわち、この場合、図２における右側の肩掛け部材１１８と左側の肩掛け部材１１８との間の部分が分断されることなく繋げられ、着用者Ｗの背中の上部が一体化した部材で覆われることとなる。
これによって、後述の肩掛け部材保持手段１１９を備えずとも、肩掛け部材の位置がずれてしまうことを防止できる。この場合、肩掛け部材１１８は、メッシュ状部材を用いて形成されていることが好ましい。肩掛け部材１１８がメッシュ状部材を用いて形成されていれば、その面積が増大しても、服本体１１０内での空気の流通に与える影響を低減できる。
【００４５】
また、肩掛け部材１１８と、服本体１１０を形成する服地Ｆとの、第１接続部１１８ａ及び第２接続部１１８ｂにおける接続手段は、空調衣服１００の着用時にその重さが掛かっても外れない強度を有するものであれば任意であるが、縫合によることが好ましい。
また、服本体１１０の前身頃及び／又は後身頃に、服本体１１０を形成するために服地Ｆを縫製した縫製ラインＳが存在する場合には、第１接続部１１８ａ及び第２接続部１１８ｂを、縫製ラインＳに重ね、服本体１１０を形成するための服地Ｆの縫製時に、同時に肩掛け部材１１８を縫い付けることが好ましい。これによって、服本体１１０に縫製ラインを増加させることなく、肩掛け部材１１８を備えることができ、空調衣服１００の外観の悪化を抑制することができる。
【００４６】
なお、肩掛け部材１１８としては、所定の幅を有する帯状のものを用いることが、着用者Ｗの肩に掛かる圧力をさらに分散し、着用者Ｗへの負担を低減する上で好ましいが、これには限られず、例えば、紐状の部材を用いることも可能である。
この場合、空調衣服１００の重さが掛かる面積が狭くなるため、着用者Ｗの肩に掛かる圧力は帯状の場合と比較すると増大するが、前後方向には帯状の場合と変わらない長さを有するため、着用者Ｗの肩の一点に圧力が掛かる場合と比較すれば、着用者Ｗへの負担は小さい。また、この場合、肩掛け部材１１８の面積が狭くなるため、肩掛け部材１１８が空気の流通の妨げとなることは、より防止し易くなる。
【００４７】
肩掛け部材１１８の長さ（本実施形態においては、第１接続部１１８ａと第２接続部１１８ｂとの間の、肩掛け部材１１８に沿った最短の距離）は、服本体１１０を形成する服地Ｆの、着用者Ｗが空調衣服１００を着用した状態において肩掛け部材１１８と対向する部分の長さ（本実施形態においては、第１接続部１１８ａと第２接続部１１８ｂとの間の、着用者Ｗの肩の上方を通過する服地Ｆに沿った最短の距離）よりも短くなるように形成されている。
【００４８】
（肩掛け部材保持手段）
肩掛け部材保持手段１１９は、図１から図４に示すように、服本体１１０の内面側において、肩掛け部材１１８の移動範囲を制限し、着用者Ｗの肩の上方を通過する位置において保持するための手段である。
肩掛け部材保持手段１１９としては、肩掛け部材１１８を服本体１１０の服地Ｆ対して完全に固定することなく、所定の範囲でこれを動かせるものであり、かつ、肩掛け部材１１８と、服本体１１０の服地Ｆとの間に間隔を空け、当該間隔に空気流通路を形成することができる必要があることから、例えば、肩掛け部材１１８を挿通可能な開口部を有するリング状に形成され、当該開口部に肩掛け部材１１８を挿通させることによって、これを保持する。このようなリング状の肩掛け部材保持手段１１９は、細長い布の両端部を、これに対向する服地Ｆの長さよりも長くなるように縫い付けることで形成することができる。
なお、肩掛け部材保持手段１１９は、上記のように肩掛け部材１１８を保持することができればよく、必ずしもリング状に形成されたものには限られない。例えば、ある程度幅のある筒状の部材として形成されていてもよい。
【００４９】
肩掛け部材保持手段１１９は、図１から図４に示すように、服本体１１０の内面側において、第１接続部１１８ａと第２接続部１１８ｂとの間の、着用者Ｗの肩の上方を通過する最短距離のライン上において、所定の個数形成されている。図１から図４においては、１個の肩掛け部材１１８に対し、３個のリング状の肩掛け部材保持手段１１９が備えられる場合につき図示したが、肩掛け部材保持手段１１９の形状及び形成数は、これに限られない。
【００５０】
肩掛け部材保持手段１１９が備えられていることで、肩掛け部材１１８が、所定の位置から大きくずれることがなくなる。これによって、空調衣服１００の着用時に逐一肩掛け部材１１８の位置を合わせる必要がなくなることから、その着用が容易となり、また、着用中に肩掛け部材１１８がずれてしまうことも防止できる。なお、空調衣服１００の着用の容易性及び肩掛け部材１１８のずれ難さは低下するものの、肩掛け部材保持手段１１９を備えることなく、肩掛け部材１１８が、その両端部に位置する第１接続部１１８ａ及び第２接続部１１８ｂにおいてのみ、服本体１１０の服地に保持されるように構成することも可能である。
【００５１】
｛ファン｝
ファン１２０は、図２から図４に示すように、ファン取付孔１１３を挿通するようにして服本体１１０に取り付けられ、ファン取付孔１１３を通して、服本体１１０と着用者Ｗの身体との間の空間に空気を導入するためのものである。
ファン１２０には、電源部１３０より、接続ケーブル１４０を通じて必要な電力が供給される。
【００５２】
ファン１２０としては、ファン取付孔１１３を挿通するようにして服本体１１０に取り付けられ、服本体１１０内部に空気を導入できるものであれば、任意の構成を採用可能である。
【００５３】
｛電源部｝
電源部１３０は、ファン１２０に電力を供給するための部材であり、例えば、安全保護回路が付加されたリチウムイオン組電池が内蔵され、接続ケーブル１４０を通じてファン１２０と接続するための、接続端子（不図示）を備える。
電源部１３０は、ファン１２０に電力を供給することができるものであれば、その具体的な構成は任意である。
また、図３に示すように、本実施形態においては、電源部１３０は、電源部保持手段１１６としてのポケットに収納されているが、上記のように電源部１３０を保持するための手段はこれに限られない。
【００５４】
｛接続ケーブル｝
接続ケーブル１４０は、電源部１３０とファン１２０とを接続するケーブルである。接続ケーブル１４０を通じて、電源部１３０からファン１２０に対して、ファン１２０の稼働に必要な電力が供給される。
接続ケーブル１４０は、電源部１３０からファン１２０に対して、ファン１２０の稼働に必要な電力を供給できるものであればよく、その具体的な構成は任意である。
【００５５】
接続ケーブル１４０は、図３に示すように、ケーブル保持手段１１７によって、服本体１１０の内面側に保持されている。
【００５６】
なお、接続ケーブル１４０を備えることなく、ファン１２０と電源部１３０とが直接接続される構成とすることも可能である。また、ファン１２０と電源部１３０とを一体化してもよい。
【００５７】
［実施形態の効果］
本実施形態に係る空調衣服１００を着用すると、着用者Ｗの肩近傍の領域において、肩掛け部材１１８によって、空調衣服１００を着用者Ｗに対して離隔する方向に持ち上げるような作用が働くことになる。これによって、ファン１２０により服本体１１０の内部に空気を導入すると、肩近傍の領域に十分な空気流通路を確保することができるため、肩近傍の領域から服本体１１０に形成された空気排出部１１５、特に着用者Ｗの首領域に形成された空気排出部１１５へと空気が送られ易くなり、より高い冷却効果が得られる。
なお、空調衣服１００の着用の時点では、着用者Ｗの肩近傍の領域において着用者Ｗの身体と服本体１１０の服地Ｆとの間に空間が形成されていなくとも、ファン１２０により服本体１１０の内部に空気を導入した際に、導入された空気の圧力によって、肩近傍の領域に空気流通路を確保できれば、上記のような効果を得ることができる。
具体的には、以下の通りである。
【００５８】
空調衣服は、ファンや電源部を備えることから、通常の衣服と比較して、必然的に重くなる。そして、空調衣服の着用時においては、そのような空調衣服の重量が、着用者の肩近傍の領域に位置する服地に掛かることとなる。
したがって、着用者の肩近傍の領域に、空気流通路を確保するための手段を備えていない空調衣服の場合、着用者の肩近傍の領域に位置する服地が着用者の身体又は下着に密着し、着用者の肩近傍の領域に空気流通路が形成され難くなり、空調衣服上部において前身頃側と後身頃側とで空気流通路が分断されてしまう。これによって、着用者の首部周辺（襟部）や袖部の空気排出部、特に襟部の空気排出部からの空気の排出量が減少してしまい、冷却効率向上の妨げとなっていた。
【００５９】
本実施形態に係る空調衣服１００によれば、図１から図４に示すように、服本体１１０に、着用者Ｗの肩に掛かるようにして、肩掛け部材１１８が備えられており、かつ、肩掛け部材１１８の長さ（第１接続部１１８ａと第２接続部１１８ｂとの間の、肩掛け部材１１８に沿った最短の距離）が、服本体１１０を形成する服地Ｆの、着用者Ｗが空調衣服１００を着用した状態において肩掛け部材１１８と対向する部分の長さ（第１接続部１１８ａと第２接続部１１８ｂとの間の、着用者Ｗの肩の上方を通過する服地Ｆに沿った最短の距離）よりも短くなるように形成されていることで、図１から図４に示すように、肩掛け部材１１８によって服本体１１０が吊られ、空調衣服１００の重量は、肩掛け部材１１８に掛かることとなり、かつ、服本体１１０を形成する服地Ｆの肩近傍の領域に遊びが生じる。
したがって、服地Ｆが比較的硬くて形状が維持されやすい生地であれば、常に着用者Ｗの肩近傍の領域にスペースが生じることとなり、また、服地Ｆが比較的柔らかくてしなやかな生地であっても、ファン１２０を作動させた際には、これが膨らむことで、着用者Ｗの肩近傍の領域にスペースが生じることとなるから、いずれにしても、空調衣服１００の重量が着用者Ｗの肩に掛かっても、服本体１１０を形成する服地Ｆが、着用者Ｗの肩に密着してしまうことがなくなり、着用者Ｗの肩近傍の領域にも十分な空気流通路を形成することが可能となる。これによって、着用者の首部周辺（襟部）や袖部に形成された空気排出部からの空気の排出量を増加させることができ、空調衣服の冷却効率を改善することができる。
【００６０】
また、肩近傍の領域における空気流通路を確保するためには、特許文献１に記載の空調衣服のように、服本体を形成する服地の着用者の肩に対向する部分に、凸状のスペーサを備えることも考えられるが、この場合、スペーサ自体が、唯でさえ限定的な肩近傍の領域の空気流通路を塞いでしまい、空気の流通の妨げとなる可能性が生じる。
【００６１】
このような弊害を低減するためには、スペーサを細く形成し、着用者の肩と接する面積を小さくする必要があるが、この場合、当該スペーサと着用者の肩とが接する一点に、空調衣服の重量が掛かることとなるため、着用者の肩に掛かる圧力が高くなり、着心地を悪化させてしまう。
さらに、スペーサ下端の狭い面積が着用者の肩に上方から当接していない限り、スペーサの効果が得られないことから、空調衣服の着用中に、着用者の運動等に伴い、服本体と着用者の身体との位置関係が少しでもずれてしまうと、スペーサの機能が容易に失われてしまう。
【００６２】
これに対し、スペーサを大型化し、着用者の肩と接する面積を拡大すれば、着用者の肩に掛かる圧力を弱めることができ、また、服本体と着用者の身体との位置関係が多少ずれても、スペーサの機能は失われ難くなる。
しかし、スペーサを大型化するほど、これが肩近傍の領域の空間を塞ぐ範囲が増大し、空気流通路を狭めてしまう。
【００６３】
したがって、従来のスペーサによっては、肩近傍の領域に十分な空気流通路を確保することと、空調衣服の着心地とを両立することは困難であった。
【００６４】
これに対し、本実施形態に係る空調衣服１００によれば、図１、図２及び図４に示すように、肩掛け部材１１８は、着用者Ｗの肩の上方において着用者Ｗの肩に密着することとなり、肩掛け部材１１８とその近傍に位置する服地Ｆとの間、特にその上部に位置する服地Ｆとの間に、空気流通路が形成されるため、肩掛け部材１１８によって、肩近傍の領域の空間が塞がれることがない。したがって、肩近傍の領域の空気流通路を効率的に形成することができる。
また、肩掛け部材１１８は、服本体の前身頃と後身頃を繋ぐように形成され、着用者Ｗの肩の前方から後方に亘って存在しているため、着用者Ｗの肩の一点に空調衣服の重さが掛かることがなくなり、これを備えたことによる着心地の悪化は小さい。
さらに、このような肩掛け部材１１８は、着用者Ｗの肩の前方から後方に亘って存在していることから、服本体１１０と着用者Ｗの身体との位置関係が多少ずれた場合においても、その効果が失われることはない。
【００６５】
また、肩掛け部材１１８が、帯状に形成されている場合、着用者Ｗの肩と接する面積を拡大することができ、さらに、これを備えたことによる空調衣服１００の着心地の悪化を防止することができる。
【００６６】
また、肩掛け部材１１８は、第１接続部１１８ａ及び第２接続部１１８ｂにおいて服本体１１０の服地Ｆに接続されているが、その接続部は、接続の強度を考えると、縫合によることが好ましい。しかし、このような縫合部は、服本体の表面からでも視認できることから、空調衣服の外観を悪化させる要因となる。
これに対し、本実施形態に係る空調衣服１００によれば、第１接続部１１８ａ及び／又は第２接続部１１８ｂが、服本体１１０の形成時に必然的に形成される縫製ラインＳに重なっていることから、肩掛け部材１１８を備えたことによる空調衣服１００の外観の悪化を低減することができる。
【００６７】
また、肩掛け部材１１８が、その両端の第１接続部１１８ａ及び第２接続部１１８ｂにおいてのみ服本体１１０の服地Ｆに保持され、他の部分において位置が定められていない場合も、正しく着用すれば肩掛け部材１１８の効果は問題なく生じるものの、空調衣服の着用時において、着用者Ｗがこれを逐一肩の上方へと回す必要性が生じ、空調衣服の着用に手間が掛かってしまう。
また、この場合、空調衣服の着用中に肩掛け部材１１８が肩の上の所定位置からずれてしまう可能性がある。上記のように、肩掛け部材１１８によれば、通常のスペーサと比較して、位置がずれても機能が失われ難いが、大幅にずれて、例えば肩から落ちてしまえば、その機能は失われてしまう。
【００６８】
これに対し、本実施形態に係る空調衣服１００によれば、肩掛け部材保持手段１１９によって、第１接続部１１８ａ及び第２接続部１１８ｂ近傍以外においても、ある程度、肩掛け部材１１８の、服本体１１０の服地Ｆに対する位置が定まっていることから、肩掛け部材１１８が、所定の位置から大きくずれることがなくなる。これによって、空調衣服１００の着用時に逐一位置を合わせる必要がなくなることから、空調衣服１００の着用が容易となり、また、着用中に肩掛け部材１１８が大きくずれてしまうことも防止できる。
【００６９】
［第２実施形態］
本発明の第２実施形態について、図５に基づいて説明する。なお、第１実施形態と同一の部分については、同一の符号を付して説明を省略する。
【００７０】
［実施形態の構成］
第２実施形態に係る空調衣服１００Ａは、図５に示すように、肩掛け部材を、左右の肩掛け部材が一体的に形成された肩掛け部材１１８Ａとしたものである。
【００７１】
（肩掛け部材）
肩掛け部材１１８Ａは、図５に示すように、肩掛けベルト１１８１と、肩掛けベルト１１８１の両端部の近傍に備えられたボタン孔１１８２と、肩掛けベルト１１８１に備えられた長さ調整手段１１８３と、服本体１１０Ａの前身頃に備えられたボタン１１８４と、服本体１１０Ａの後身頃に備えられたリング状部材１１８５と、を備えて構成されている。
【００７２】
肩掛けベルト１１８１は、図５に示すように、一本の帯状に形成された部材であり、両端部それぞれの近傍に、肩掛けベルト１１８１の長手方向に沿って並ぶようにして、複数のボタン孔１１８２が備えられている。
また、肩掛けベルト１１８１の両端部の近傍を除いた任意の位置に、肩掛けベルト１１８１の長さを調整する長さ調整手段１１８３が備えられている。長さ調整手段１１８３としては、肩掛けベルト１１８１の長さを調整可能であれば特に限定されないが、例えば、一般的なベルトアジャスター等を用いて、肩掛けベルト１１８１の二重に重ねられている部分の長さを調整することによって、肩掛けベルト１１８１全体の長さを調整できるようにすればよい。
【００７３】
ボタン１１８４は、肩掛けベルト１１８１に備えられたボタン孔１１８２と接続可能なものであり、服本体１１０Ａの服地Ｆの前身頃の内面側の左右２か所に備えられている。ボタン孔１１８２とボタン１１８４とを接続することで、肩掛けベルト１１８１を服本体１１０Ａの服地Ｆの前身頃に接続することができる。
すなわち、本実施形態においては、服本体１１０Ａの前身頃のボタン１１８４が備えられている部分が、服本体１１０Ａの前身頃に位置する第１接続部に該当することとなる。
また、この場合、ボタン孔１１８２が第１取付部に該当し、ボタン１１８４が第２取付部に該当することとなる。
【００７４】
リング状部材１１８５は、図５に示すように、服本体１１０Ａの後身頃上部の左右方向中央部付近に備えられたリング状の部材であり、例えば細長い布の両端部を接続してリング状とした上で、これを開口部が左右を向くように服本体１１０Ａの服地Ｆに取り付けることで、形成することができる。
肩掛けベルト１１８１は、服本体１１０Ａの後身頃上部の左右方向中央部付近において、リング状部材１１８５に通されて、リング状部材１１８５を介して、服本体１１０Ａの後身頃に接続される。すなわち、本実施形態においては、服本体１１０Ａの後身頃のリング状部材１１８５が備えられている部分が、服本体１１０Ａの後身頃に位置する第２接続部に該当することとなる。
【００７５】
リング状部材１１８５は、服地Ｆに縫い付けられることなく、リング状部材１１８５の外面の一部に面ファスナーの一方を有し、服本体１１０Ａの服地Ｆの内面側に備えられた面ファスナーの他方からなるリング状部材取付部１１８６に着脱自在に形成されている。
また、リング状部材取付部１１８６は、リング状部材１１８５と比較して上下方向に長く、リング状部材１１８５の取付位置を上下に調整可能となるように形成されている。
【００７６】
なお、本発明において肩掛け部材は、第１接続部と第２接続部とを常に繋いでいる必要はなく、着脱自在に形成された部分が存在しても、これが接続された際に第１接続部と第２接続部とを繋ぐものであれば、第１接続部と第２接続部とを繋ぐ肩掛け部材に該当するものとする。
【００７７】
（スペーサ）
スペーサ１５０は、服本体１１０Ａの前身頃のボタン１１８４が備えられた位置（第１接続部）の近傍及び服本体１１０Ａの後身頃のリング状部材１１８５の取付位置（第２接続部）の近傍に備えられた、服地Ｆと着用者Ｗの身体との間の間隔を確保するための手段である。
スペーサ１５０としては、服地Ｆと着用者Ｗの身体との間の間隔を確保できるものであれば任意であるが、例えば、所定の厚みを有するスポンジを服地Ｆに貼付することによって形成することができる。
【００７８】
スペーサ１５０は、服本体１１０Ａの前身頃のボタン１１８４が備えられた位置（第１接続部）の近傍及び服本体１１０Ａの後身頃のリング状部材１１８５の取付位置（第２接続部）の近傍に備えられていればよく、備えられる位置及び数は、図５に示すものに限られない。また、服本体１１０Ａの前身頃のボタン１１８４が備えられた位置（第１接続部）の近傍又は服本体１１０Ａの後身頃のリング状部材１１８５の取付位置（第２接続部）の近傍のいずれかにのみ備えることも可能である。
なお、スペーサ１５０は、本実施形態に限られず、その他の実施形態においても、前身頃の第１接続部及び／又は後身頃の第２接続部近傍に備えることが可能である。
【００７９】
［実施形態の効果］
本実施形態によれば、複数の手段により、肩掛け部材１１８Ａの第１接続部と第２接続部との間の部分の長さと、着用者Ｗが空調衣服１００Ａを着用した状態においてこれと対向する服地Ｆの長さと、の関係を調整することができる。
すなわち、まず、ボタン孔１１８２は、肩掛けベルト１１８１の両端部のそれぞれに複数備えられていることから、ボタン１１８４と接続されるボタン孔１１８２を変更することで、ボタン１１８４とボタン１１８４との間に位置する肩掛けベルト１１８１の長さを変更することができる。
また、長さ調整手段１１８３により、肩掛けベルト１１８１自体の長さを変更することによっても、ボタン１１８４とボタン１１８４との間に位置する肩掛けベルト１１８１の長さを変更することができる。
さらに、リング状部材取付部１１８６が上下に長く形成されていることで、リング状部材１１８５の服地Ｆへの取り付け位置を上下に調整することによって、肩掛け部材１１８Ａの第１接続部と第２接続部との間の部分と対向する服地Ｆの長さを変更することができる。すなわち、リング状部材１１８５の取付位置を上方とすることで、服地Ｆの上記部分の長さを短くすることができ、反対に、リング状部材１１８５の取付位置を下方とすることで、服地Ｆの上記部分の長さを長くすることができる。
【００８０】
上記３つの手段のうちいずれか又は複数を用いて、着用者Ｗが、肩掛け部材１１８Ａの第１接続部と第２接続部との間の部分の長さを、着用者Ｗが空調衣服１００Ａを着用した状態においてこれと対向する服地Ｆの長さよりも短くなるようにすることで、第１実施形態と同様の効果を得ることができる。
【００８１】
すなわち、肩掛け部材１１８Ａの肩掛けベルト１１８１を着用者Ｗの両肩に掛けるようにして空調衣服１００Ａを着用することで、肩掛け部材１１８Ａの肩掛けベルト１１８１とその近傍に位置する服地Ｆとの間、特にその上方に位置する服地Ｆとの間に空気流通路が形成されるため、肩掛け部材１１８Ａによって、肩近傍の領域の空間が塞がれることがない。したがって、肩近傍の領域の空気流通路を効率的に形成することができる。
また、肩掛け部材１１８Ａは、服本体の前身頃と後身頃とを繋ぐように形成され、着用者Ｗの肩の前方から後方に亘って存在しているため、着用者Ｗの肩の一点に空調衣服の重さが掛かることがなくなり、これを備えたことによる着心地の悪化は小さい。
【００８２】
さらに、本実施形態によれば、上記のように、複数の手段により、肩掛け部材１１８Ａの第１接続部と第２接続部との間の部分の長さと、着用者Ｗが空調衣服１００Ａを着用した状態においてこれと対向する服地Ｆの長さと、の関係を調整することができることから、例えば、周囲の気温が高い場合等、冷却機能を強化したい場合には、肩掛け部材１１８Ａの第１接続部と第２接続部との間の部分の長さと、着用者Ｗが空調衣服１００Ａを着用した状態においてこれと対向する服地Ｆの長さとの差を大きくする。これによって、肩近傍の領域に形成される空気流通路を広くして、空調衣服としての冷却機能を高めることができる。
これに対し、周囲の気温が低い場合等、それほど冷却機能を必要としない場合には、肩掛け部材１１８Ａの第１接続部と第２接続部との間の部分の長さと、着用者Ｗが空調衣服１００Ａを着用した状態においてこれと対向する服地Ｆの長さとの差を小さくすることで、肩近傍の領域に形成される空気流通路を狭くする。これによって、空調衣服としての冷却機能は低下するものの、肩の盛り上がりを小さくし、空調衣服の外観の悪化を低減することができる。
さらに、ファン１２０を停止し、空調衣服１００Ａを通常の衣服として使用する際には、肩近傍の領域の空気流通路は必要ないことから、肩掛け部材１１８Ａの第１接続部と第２接続部との間の部分の長さと、着用者Ｗが空調衣服１００Ａを着用した状態においてこれと対向する服地Ｆの長さとを略同一として使用すればよい。
【００８３】
さらに、本実施形態によれば、服本体１１０Ａの前身頃のボタン１１８４が備えられた位置（第１接続部）の近傍及び服本体１１０Ａの後身頃のリング状部材１１８５の取付位置（第２接続部）の近傍服には、スペーサ１５０が備えられている。
空調衣服１００Ａを、肩掛け部材１１８Ａの肩掛けベルト１１８１を着用者Ｗの肩に掛けて使用する場合、肩掛け部材１１８Ａが接続されることとなるボタン１１８４が備えられた位置及びリング状部材１１８５の取り付け位置の服地Ｆが着用者Ｗ側へと引っ張られ、上記二つの位置の近傍において、服本体１１０Ａの服地Ｆが内面側へと凹み易く、このような凹みが生じた場合、当該部分における空気の流通が妨げられ空調衣服としての冷却機能を阻害すると共に、空調衣服の外観を害するおそれがある。
この点、本実施形態によれば、スペーサ１５０によって、肩掛け部材１１８Ａが服地Ｆに接続されることとなるボタン１１８４が備えられた位置及びリング状部材１１８５の取り付け位置近傍において、服本体１１０Ａの服地Ｆが凹むことを防止できることから、上記のような弊害が生じることもない。
【００８４】
［変形例］
上記においては、肩掛け部材１１８Ａの第１接続部と第２接続部との間の部分の長さと、着用者Ｗが空調衣服１００Ａを着用した状態においてこれと対向する服地Ｆの長さと、の関係を調整する手段として、３つの手段、すなわち、肩掛けベルト１１８１の両端部のそれぞれ備えらえたボタン孔１１８２を複数とすること、肩掛けベルト１１８１に長さ調整手段１１８３を備えること、リング状部材１１８５の取付位置を上下に調整可能とすること、を採用した場合につき説明したが、これら３つの手段をすべて備えることは必須ではなく、これらのうちいずれか一つ又は二つを選択的に採用することも可能である。
【００８５】
また、肩掛けベルト１１８１の両端部をボタン孔１１８２とボタン１１８４とによって服地Ｆに着脱自在とせず、片側を服地Ｆに縫合等の方法によって固定した上で、片側のみを複数のボタン孔１１８２とボタン１１８４とによって服地Ｆに着脱自在としてもよい。
【００８６】
また、服本体１１０Ａの後身頃に位置する第２接続部においても、リング状部材１１８５を用いることなく、肩掛けベルト１１８１の中央部に備えられたボタン孔１１８２と服本体１１０Ａの服地Ｆの後身頃に備えられたボタン１１８４とを用いて、肩掛けベルト１１８１を服地Ｆに接続するようにしてもよい。この際、ボタン１１８４を複数個所に備えるようにすれば、使用するボタン１１８４を変えることで、肩掛け部材１１８Ａが後身頃に接続される第２接続部の位置を変更し、肩掛け部材１１８Ａの第１接続部と第２接続部との間の部分の長さと、着用者Ｗが空調衣服１００Ａを着用した状態においてこれと対向する服地Ｆの長さと、の関係を調整可能となる。
【００８７】
また、服本体１１０Ａの前身頃においても、ボタン１１８４を複数個所に備えるようにし、使用するボタン１１８４を変えることで、肩掛け部材１１８Ａが前身頃に接続される第１接続部の位置を変更し、肩掛け部材１１８Ａの第１接続部と第２接続部との間の部分の長さと、着用者Ｗが空調衣服１００Ａを着用した状態においてこれと対向する服地Ｆの長さと、の関係を調整可能としてもよい。さらに、肩掛けベルト１１８１に備えられたボタン孔１１８２と、服地Ｆに備えられたボタン１１８４との両者を複数としてもよい。
【００８８】
また、服地Ｆの切れ目を増加させることから好ましくはないものの、肩掛けベルト１１８１にボタン１１８４を備え、服地Ｆにボタン孔１１８２を備える構成とすることも可能である。この場合、ボタン１１８４が第１取付部に該当し、ボタン孔１１８２が第２取付部に該当することとなる。
【００８９】
［第３実施形態］
本発明の第３実施形態について、図６及び図７に基づいて説明する。なお、第１実施形態と同一の部分については、同一の符号を付して説明を省略する。
【００９０】
［実施形態の構成］
第３実施形態に係る空調衣服１００Ｂは、図６及び図７に示すように、肩掛け部材を、一端部が服本体１１０Ｂの服地Ｆの後身頃の内面側に接続され、他端部が服地Ｆの前身頃に形成された開口部１６０を通して服地Ｆの外面側へと引き出される肩掛けベルト１１８１Ａと、服本体１１０Ｂの服地Ｆの前身頃の外面側に取り付けられ、肩掛けベルト１１８１Ａを固定することができるベルトアジャスター１１８７と、を備える肩掛け部材１１８Ｂとしたものである。
【００９１】
（開口部）
開口部１６０は、図６及び図７に示すように、服本体１１０Ｂの前身頃上部の開閉手段１１１の左右の位置に設けられた左右方向に延在する切れ目であり、服地Ｆを貫通し、服地Ｆの内面側と外面側とを繋ぐように形成されている。
なお、開口部１６０は、服本体１１０と着用者Ｗの身体との間の空間からの空気の漏れを抑制するため、肩掛けベルト１１８１Ａを挿通させることができる最低限の大きさに形成されていることが望ましい。また、図６においては図示していないが、上方から開口部１６０を覆い、下方のみが開口するようにして、カバー部が備えられていることがさらに望ましい。
【００９２】
（肩掛け部材）
肩掛け部材１１８Ｂは、上記のように、一端部が服地Ｆの後身頃の内面側に接続され、他端部が開口部１６０を通して服地Ｆの外面側へと引き出される肩掛けベルト１１８１Ａと、服地Ｆの前身頃の外面側に取り付けられたベルトアジャスター１１８７と、を備える。
【００９３】
肩掛けベルト１１８１Ａは、図７に示すように、第１実施形態と同様、服本体１１０Ｃの後身頃上部の第２接続部１１８ｂにおいて服地Ｆに接続された帯状の部材であり、左右に一本ずつ、計２本備えられている。
肩掛けベルト１１８１Ａは、開口部１６０を挿通させることができる太さであるとともに、後述のように着用者Ｗの肩に掛かった状態で、開口部１６０を挿通して服地Ｆの外面側に引き出され、ベルトアジャスター１１８７に接続可能な長さを有する必要がある。
【００９４】
肩掛けベルト１１８１Ａは、服本体１１０Ｂの服地Ｆの後身頃の左右２か所に、服本体１１０Ｂを形成するために服地Ｆを縫製した際の縫製ラインＳにおいて、服地Ｆの縫製時に同時に縫い付けることにより固定されている。
【００９５】
ベルトアジャスター１１８７は、肩掛けベルト１１８１Ａを服本体１１０Ｂの服地Ｆの前身頃の外面側に接続するための手段であり、服地Ｆの前身頃の外面側の、開口部１６０の下方の位置に備えられている。
すなわち、本実施形態においては、服本体１１０Ｂの前身頃の外面側のベルトアジャスター１１８７が備えられている部分が、服本体１１０Ｂの前身頃に位置する第１接続部に該当することとなる。
【００９６】
ベルトアジャスター１１８７としては、肩掛けベルト１１８１Ａをこれに通すことで、肩掛けベルト１１８１Ａの任意の位置をベルトアジャスター１１８７に固定可能であると共に、固定位置を変更可能なものであればよく、一般的なベルトアジャスターを用いることができる。
【００９７】
［実施形態の効果］
本実施形態によれば、肩掛けベルト１１８１Ａをベルトアジャスター１１８７に通すことで、肩掛けベルト１１８１Ａの任意の位置を、ベルトアジャスター１１８７に固定できることから、固定位置の変更により、肩掛けベルト１１８１Ａをベルトアジャスター１１８７に固定した状態における肩掛け部材１１８Ｂの第１接続部と第２接続部との間の部分の長さを変更することができる。
したがって、肩掛け部材１１８Ｂの第１接続部と第２接続部との間の部分の長さを、着用者Ｗが空調衣服１００Ｂを着用した状態においてこれと対向する服地Ｆの長さよりも短くなるようにすることで、第１実施形態と同様の効果を得ることができる。
【００９８】
さらに、本実施形態によれば、肩掛けベルト１１８１Ａの任意の位置を、ベルトアジャスター１１８７に固定できることから、固定位置の変更により、肩掛けベルト１１８１Ａをベルトアジャスター１１８７に固定した状態における肩掛け部材１１８Ｂの第１接続部と第２接続部との間の部分の長さを調整することができる。
これによって、第２実施形態と同様、肩掛け部材１１８Ｂの第１接続部と第２接続部との間の部分の長さと、着用者Ｗが空調衣服１００Ｂを着用した状態においてこれと対向する服地Ｆの長さとの差を大きくすることによって、肩近傍の領域に形成される空気流通路を広くして、空調衣服としての冷却機能を高めることができる。
これに対し、肩掛け部材１１８Ｂの第１接続部と第２接続部との間の部分の長さと、着用者Ｗが空調衣服１００Ｂを着用した状態においてこれと対向する服地Ｆの長さとの差を小さくすることで、肩近傍の領域に形成される空気流通路を狭くすることできる。これによって、空調衣服としての冷却機能は低下するものの、肩の盛り上がりを小さくし、空調衣服の外観の悪化を低減することができる。
さらに、ファン１２０を停止し、空調衣服１００Ｂを通常の衣服として使用する際には、肩近傍の領域の空気流通路は必要ないことから、肩掛け部材１１８Ｂの第１接続部と第２接続部との間の部分の長さと、着用者Ｗが空調衣服１００Ｂを着用した状態においてこれと対向する服地Ｆの長さとが略同一となるようにして使用すればよい。
【００９９】
さらに、本実施形態によれば、肩掛けベルト１１８１Ａの一端部が前身頃の開口部１６０から服本体１１０Ｂの外面側に露出し、服本体１１０Ｂの外面側においてベルトアジャスター１１８７に固定されることから、服本体１１０Ｂの外面側において肩掛けベルト１１８１Ａのベルトアジャスター１１８７への接続位置を変更可能となり、肩掛け部材１１８Ｂの第１接続部と第２接続部との間の部分の長さの調整が容易となる。
【０１００】
［第４実施形態］
本発明の第４実施形態について、図８及び図９に基づいて説明する。なお、第１実施形態と同一の部分については、同一の符号を付して説明を省略する。
【０１０１】
［実施形態の構成］
第４実施形態に係る空調衣服１００Ｃは、図８及び図９に示すように、肩掛け部材を、メッシュ状部材によって着用者の胴体の上部を覆うようにして形成された肩掛け部材１１８Ｃとしたものである。
【０１０２】
（肩掛け部材）
肩掛け部材１１８Ｃは、図８及び図９に示すように、略全面に亘って多数の開口部が形成されたシート状の部材であるメッシュ状部材を、服本体１１０Ｃの服地Ｆの内面側の上部に備えることによって形成されている。
【０１０３】
肩掛け部材１１８Ｃは、図８及び図９に示すように、服本体１１０Ｃの胴部と袖部とが接続されている部分の下方において、前身頃の開閉手段１１１近傍を除いて服本体１１０Ｃを周回するようにして、服地Ｆに接続されている。肩掛け部材１１８Ｃについても、服地Ｆの縫製時に縫製ラインＳに重ねて縫合することで、服地Ｆに接続すればよい。
すなわち、本実施形態においては、前身頃の開閉手段１１１近傍を除いて服本体１１０Ｃを周回するようにして形成された肩掛け部材１１８Ｃと服地Ｆとの接続部のうち、前身頃の開閉手段１１１の両側の部分との接続部分が、服本体１１０Ｃの前身頃に位置する第１接続部に該当し、後身頃との接続部分が、服本体１１０Ｃの後身頃に位置する第２接続部に該当することとなる。
【０１０４】
また、肩掛け部材１１８Ｃと服地Ｆとの接続部分は、上記の位置のみに限られず、例えば、開閉手段１１１の左右において、開閉手段１１１に沿って服地Ｆに接続されるようにしてもよい。
【０１０５】
これによって、図８に示すように。肩掛け部材１１８Ｃは、所謂ランニングシャツの上部のみを服地Ｆの内面側に取り付けたような形状を有することとなり、空調衣服１００Ｃの着用時において、これを着用者の両肩に掛けることか可能となる。
また、肩掛け部材１１８Ｃは、図８に示すように、着用者Ｗが空調衣服１００Ｃを着用した状態において、これと対向する服地Ｆの上部よりも一回り小型となり、肩掛け部材１１８Ｃと服地Ｆとの間に間隙が生じるように形成されている。
【０１０６】
［実施形態の効果］
本実施形態によっても、空調衣服１００Ｃを、肩掛け部材１１８Ｃが着用者Ｗの肩に掛かるようにして着用することで、着用者Ｗの肩近傍の領域において、肩掛け部材１１８Ｃとその近傍に位置する服地Ｆとの間、特にその上方に位置する服地Ｆとの間に空気の流通路を形成し、第１実施形態と同様の効果を得ることができる。なお、本実施形態によれば、肩掛け部材１１８Ｃは第１実施形態と比較して広い面積を有するが、全体がメッシュ状部材によって形成されていることから、服本体１１０Ｃ内における空気の流通を阻害することはない。
さらに本実施形態によれば、広い面積を有する肩掛け部材１１８Ｃによって、着用者の肩の広範囲に分散して空調衣服１００Ｃの重量がかかることから、第１実施形態よりもさらに、空調衣服１００の着心地の悪化を防止する効果を高めることができる。
【０１０７】
［第５実施形態］
本発明の第５実施形態について、図１０に基づいて説明する。なお、第１実施形態と同一の部分については、同一の符号を付して説明を省略する。
【０１０８】
［実施形態の構成］
第５実施形態に係る空調衣服は、図１０に示すように、肩掛け部材を、服本体１１０Ｄの前身頃に接続された第１肩掛けベルト１１８８と、服本体１１０Ｄの後身頃に接続された第２肩掛けベルト１１８９と、を備える肩掛け部材１１８Ｄとしたものである。
【０１０９】
（肩掛け部材）
肩掛け部材１１８Ｄは、上記のように服本体１１０Ｄの前身頃に接続された第１肩掛けベルト１１８８と、服本体１１０Ｄの後身頃に接続された第２肩掛けベルト１１８９と、を備え、第１肩掛けベルト１１８８に備えられたボタン１１８４と、第２肩掛けベルト１１８９に備えられたボタン孔１１８２と、を用いて、両者を接続可能に構成されている。
【０１１０】
第２肩掛けベルト１１８９は、図１０に示すように、左右の第２肩掛けベルト１１８９が接続され一体化するようにして、服本体１１０Ｄの後身頃の左右方向中央部付近において、服地Ｆの内面側に固定されている。第２肩掛けベルト１１８９についても、服本体１１０Ｄを形成するために服地Ｆを縫製した際の縫製ラインＳにおいて、服地Ｆの縫製時に同時に縫い付けることにより、服地Ｆに固定すればよい。
本実施形態においては、第２肩掛けベルト１１８９と服本体１１０Ｄの後身頃との接続部が、服本体１１０Ｄの後身頃に位置する第２接続部に該当することとなる。
【０１１１】
第２肩掛けベルト１１８９には、図１０に示すように、服地Ｆの後身頃に接続されているのと反対側の端部近傍に、第２肩掛けベルト１１８９の長手方向に沿って並ぶようにして、複数のボタン孔１１８２が備えられている。
また、第２肩掛けベルト１１８９の着用者Ｗに向く側には、蒸れ防止のためのメッシュ状部材１１８９ａが備えられている。
【０１１２】
第１肩掛けベルト１１８８は、図１０に示すように、第２肩掛けベルト１１８９と比較して小さく、僅かに服本体１１０Ｄの服地Ｆの内面側から突出するようにして形成され、服本体１１０Ｄの前身頃の左右２か所に固定されている。第１肩掛けベルト１１８８についても、第２肩掛けベルト１１８９と同様、服本体１１０Ｄを形成するために服地Ｆを縫製した際の縫製ラインＳにおいて、服地Ｆの縫製時に同時に縫い付けることにより、服地Ｆに固定すればよい。
本実施形態においては、第１肩掛けベルト１１８８と服本体１１０Ｄの前身頃との接続部が、服本体１１０Ｄの前身頃に位置する第１接続部に該当することとなる。
【０１１３】
第１肩掛けベルト１１８８には、図１０に示すように、第２肩掛けベルト１１８９のボタン孔１１８２と接続可能なボタン１１８４が備えられている。
すなわち、この場合、ボタン１１８４が第１取付部に該当し、ボタン孔１１８２が第２取付部に該当することとなる。
【０１１４】
肩掛け部材１１８Ｄは、第１肩掛けベルト１１８８の服地Ｆとの接続部（第１接続部）からボタン１１８４中央部までの長さと、第２肩掛けベルト１１８９の服地Ｆとの接続部（第２接続部）からボタン孔１１８２までの長さと、の和が、第２肩掛けベルト１１８９の服地Ｆとの接続部から最も遠いボタン孔１１８２を用いる場合には、着用者Ｗが空調衣服を着用した状態において肩掛け部材１１８Ｄの第１接続部と第２接続部との間の部分と対向する服地Ｆの長さと略同じとなり、その他のボタン孔１１８２を用いる場合には、着用者Ｗが空調衣服を着用した状態において肩掛け部材１１８Ｄの第１接続部と第２接続部との間の部分と対向する服地Ｆの長さよりも短くなるようにして形成されている。
【０１１５】
（その他の構成）
本実施形態においては、図１０に示すように、服本体１１０Ｄは、フードを有する上衣の形状に形成されている。また、空気漏れ防止手段１１２Ａは、服本体１１０Ｄの裾部に、開閉手段１１１付近を除いて着用者の身体を周回するようにして形成された紐通し部と、紐通し部に通された紐状部材と、紐状部材の紐通し部から出ている部分に備えられたコードストッパーと、を備え、紐状部材の紐通し部から出ている部分を引っ張った上でコードストッパーを固定することで、服本体１１０Ｄの裾部を着用者の身体に密着させる構成としている。
その他、図１０においては、服本体１１０Ｄを形成するための服地Ｆの縫い目等につき多数図示しているが、本発明の効果に影響を与えるものではない。
また、図１０においては、服本体１１０Ｄ以外の構成につき図示していないが、ファン１２０、電源部１３０及び接続ケーブル１４０については、第１実施形態と変わるところはない。
なお、左側の第１肩掛けベルト１１８８は、内ポケットの内側となる位置に備えられているが、当該内ポケット上部の開口部を介して、第２肩掛けベルト１１８９と接続可能に構成されている。
【０１１６】
［実施形態の効果］
本実施形態によれば、ボタン孔１１８２は、第２肩掛けベルト１１８９に複数備えられていることから、第１肩掛けベルト１１８８のボタン１１８４と接続されるボタン孔１１８２を付け替えることで、ボタン孔１１８２とボタン１１８４とを用いて第１肩掛けベルト１１８８と第２肩掛けベルト１１８９とを接続した場合の肩掛け部材１１８Ｄの第１接続部と第２接続部との間の部分の長さを変更することができる。
そして、第２肩掛けベルト１１８９の服地Ｆとの接続部から最も遠いボタン孔１１８２以外のボタン孔１１８２を用いる場合には、肩掛け部材１１８Ｄの第１接続部と第２接続部との間の部分の長さは、着用者Ｗが空調衣服を着用した状態においてこれと対向する服地Ｆの長さよりも短くなることから、第１実施形態と同様の効果を得ることができる。
【０１１７】
さらに、本実施形態によれば、用いるボタン孔１１８２を変えることで、肩掛け部材１１８Ｄの第１接続部と第２接続部との間の部分の長さと、着用者Ｗが空調衣服を着用した状態においてこれと対向する服地Ｆの長さと、の関係を調整することができることから、第２実施形態及び第３実施形態と同様、肩掛け部材１１８Ｄの第１接続部と第２接続部との間の部分の長さと、着用者Ｗが空調衣服を着用した状態においてこれと対向する服地Ｆの長さとの差を大きくすることによって、肩近傍の領域に形成される空気流通路を広くして、空調衣服としての冷却機能を高めることができる。
これに対し、肩掛け部材１１８Ｄの第１接続部と第２接続部との間の部分の長さと、着用者Ｗが空調衣服を着用した状態においてこれと対向する服地Ｆの長さとの差を小さくすることで、肩近傍の領域に形成される空気流通路を狭くすることができる。これによって、空調衣服としての冷却機能は低下するものの、肩の盛り上がりを小さくし、空調衣服の外観の悪化を低減することができる。
【０１１８】
さらに、ファン１２０を停止し、空調衣服としての機能を用いず、通常の衣服として使用する際には、肩近傍の領域の空気流通路は必要ないことから、第２肩掛けベルト１１８９の服地Ｆとの接続部から最も遠いボタン孔１１８２を用いて、肩掛け部材１１８Ｄの第１接続部と第２接続部との間の部分長さと、着用者Ｗが空調衣服を着用した状態においてこれと対向する服地Ｆの長さとが略同じとなるようにして使用すればよい。
【０１１９】
［変形例］
上記においては、第２肩掛けベルト１１８９に備えられたボタン孔１１８２を複数とする場合につき説明したが、これとは反対に、第１肩掛けベルト１１８８を大型化した上で、第１肩掛けベルト１１８８に備えられたボタン１１８４を複数とすることで、ボタン孔１１８２とボタン１１８４とを接続した状態の肩掛け部材１１８Ｄの第１接続部と第２接続部との間の部分の長さを変更できるようにすることも可能である。また、第２肩掛けベルト１１８９に備えられたボタン孔１１８２と、第１肩掛けベルト１１８８に備えられたボタン１１８４との両者を複数としてもよい。
また、第１肩掛けベルト１１８８にボタン孔１１８２を備え、第２肩掛けベルト１１８９にボタン１１８４を備える構成とすることも可能である。この場合、ボタン孔１１８２が第１取付部に該当し、ボタン１１８４が第２取付部に該当することとなる。
【産業上の利用可能性】
【０１２０】
本発明は、空調衣服の服本体及び空調衣服の製造分野において好適に利用できる。
【符号の説明】
【０１２１】
１００、１００Ａ、１００Ｂ、１００Ｃ  空調衣服
１１０、１１０Ａ、１１０Ｂ、１１０Ｃ、１１０Ｄ  服本体
１１８、１１８Ａ、１１８Ｂ、１１８Ｃ、１１８Ｄ  肩掛け部材
１１８１、１１８１Ａ  肩掛けベルト
１１８２  ボタン孔（第１取付部、第２取付部）
１１８３  長さ調整手段
１１８４  ボタン（第２取付部、第１取付部）
１１８５  リング状部材
１１８８  第１肩掛けベルト
１１８９  第２肩掛けベルト
１１８ａ  第１接続部
１１８ｂ  第２接続部
１１９  肩掛け部材保持手段
１２０  ファン（空気導入手段）
１３０  電源部（電源手段）
１４０  接続ケーブル（電源手段）
１５０  スペーサ
１６０  開口部
Ｆ  服地
Ｓ  縫製ライン
Ｗ  着用者
【図１】
2020100757.tif 000003
【図２】
2020100757.tif 000004
【図３】
2020100757.tif 000005
【図４】
2020100757.tif 000006
【図５】
2020100757.tif 000007
【図６】
2020100757.tif 000008
【図７】
2020100757.tif 000009
【図８】
2020100757.tif 000010
【図９】
2020100757.tif 000011
【図１０】
2020100757.tif 000012
【国際調査報告】
2020100757.tif 000013
2020100757.tif 000014
2020100757.tif 000015
2020100757.tif 000016